(57)【要約】【課題】複数のプロトコルに対応して、周波数チャネルの捕捉処理を効率よく行い電力消費を低減できる無線端末装置を提供する。【解決手段】無線端末装置１０は、複数のプロトコルを提供する基地局から報知された一のプロトコルのパイロット信号の信号強度（Ｅｃ／Ｉｏ）を信号強度測定部１８３で測定する。主制御部１８０は、その信号強度が予め定められる範囲の値で示された複数の周波数チャネルの中から、異なるプロトコルでの使用履歴又は予め定められる優先度情報に基づいて、スキャンする該周波数チャネルを選択する優先順位を下げる処理を行う。さらに主制御部１８０は、同一の該プロトコルでの使用履歴又は予め定められる優先度情報に基づいて該周波数チャネルをスキャンする優先順位を決定する。【選択図】図２
2010035051.tif 000002
【特許請求の範囲】
【請求項１】
ＣＤＭＡ方式の無線通信サービスを提供する基地局との間で、複数のプロトコルにより無線信号により通信する無線端末装置であって、
前記複数のプロトコルを使用可能であり、なおかつそれぞれのプロトコルにおいて複数の周波数チャネルを使用可能な通信部と、
一のプロトコルにおいて所定の順で前記複数の周波数チャネルをスキャンして、周波数チャネルごとの受信電界強度を測定する電界強度測定部と、
前記電界強度測定部にて、予め定められる所定の値以上の電界強度が測定される周波数チャネルにおいて報知されるパイロット情報を逆拡散する逆拡散部と、
前記逆拡散部にて逆拡散された前記パイロット情報に基づいてパイロット信号の信号強度を測定する信号強度測定部と、
前記周波数チャネルのスキャンの順序を記憶する記憶部と、
前記電界強度及び前記パイロット信号の信号強度の測定結果に基づいて前記周波数チャネルをスキャンする順位に優先度をつけて前記記憶部に記録する主制御部と、を備え、
前記主制御部は、
前記信号強度測定部にて測定された前記パイロット信号の信号強度が予め定められる閾値Ｔ２以上の値が得られた前記周波数チャネルに関しては待ち受けする周波数チャネルでの捕捉が成功したとして待ち受け処理を行い、
前記閾値Ｔ２に満たず、なおかつ前記閾値Ｔ２よりも低い予め定められる閾値Ｔ１を超えた値が得られた周波数チャネルに関しては、該周波数チャネルをスキャンする優先順位を下げる処理を行い、以降の周波数チャネルのスキャンにおける優先順位を下げること
を特徴とする無線端末装置。
【請求項２】
前記主制御部は、
前記信号強度測定部にて測定されたパイロット信号の信号強度が前記閾値Ｔ２に満たず、なおかつ前記閾値Ｔ１以下の値が得られた周波数チャネルに関して、該周波数チャネルの電界強度が予め定められる閾値Ｔ０以上の場合には優先順位を下げる処理を行い、該周波数チャネルの電界強度が前記閾値Ｔ０に満たない場合には優先順位を下げる処理を行わないこと
を特徴とする請求項１に記載の無線端末装置。
【請求項３】
前記主制御部は、
前記信号強度測定部にて測定されたパイロット信号の信号強度が前記閾値Ｔ２に満たず、なおかつ前記閾値Ｔ１を超える値が得られた周波数チャネルに関しては、該周波数チャネルについての優先順位を下げる処理を行うこと
を特徴とする請求項１に記載の無線端末装置。
【請求項４】
前記記憶部は、
前記一のプロトコルと異なるプロトコルに対応する優先度情報を示す優先リストを記憶し、
前記主制御部は、
前記パイロット信号の信号強度が前記閾値Ｔ２に満たず、なおかつ前記閾値Ｔ１を超える値が得られた周波数チャネルに関して、前記異なるプロトコルにおける優先リストにあるか否かを判定し、該優先リストに含まれる場合には、該周波数チャネルについての優先順位を下げる処理を行い、該優先リストに含まれない場合には、前記周波数チャネルについての前記優先順位を下げる処理を行わないこと
を特徴とする請求項３に記載の無線端末装置。
【請求項５】
前記記憶部は、
前記一のプロトコルに対応する優先度情報を示す優先リストを記憶し、
前記主制御部は、
前記パイロット信号の信号強度が前記閾値Ｔ２に満たず、なおかつ前記閾値Ｔ１を超える値が得られた周波数チャネルに関して、前記一のプロトコルにおける前記優先リストに含まれるか否かを判定し、該優先リストに含まれる場合には該周波数チャネルについての優先順位を上げる処理を行うこと
を特徴とする請求項３または請求項４に記載の無線端末装置。
【請求項６】
前記記憶部は、
前記一のプロトコルに対応する使用履歴を記憶する手段を有し、
前記主制御部は、
前記パイロット信号の信号強度が前記閾値Ｔ２に満たず、なおかつ前記閾値Ｔ１を超える値が得られた周波数チャネルに関して、前記一のプロトコルにおける該使用履歴にあるか否かを判定し、該使用履歴にある場合には該周波数チャネルの前記優先順位を上げる処理を行うこと
を特徴とする請求項４または請求項５に記載の無線端末装置。
【請求項７】
前記記憶部は、
前記一のプロトコルと異なるプロトコルに対応する使用履歴を記憶する手段を有し、
前記主制御部は、
前記パイロット信号の信号強度が前記閾値Ｔ２に満たず、なおかつ前記閾値Ｔ１を超える値が得られた前記周波数チャネルに関して、前記異なるプロトコルにおける前記使用履歴にあるか否かを判定し、該使用履歴にない場合には優先順位を下げる処理を行うこと
を特徴とする請求項４から請求項６のいずれか１項に記載の無線端末装置。
【請求項８】
前記主制御部による優先順位を下げる処理は、周波数チャネルをスキャンする順位を繰り下げる処理とし、前記優先順位を上げる処理は、前記周波数チャネルをスキャンする順位を繰り上げる処理とすること
を特徴とする請求項１から請求項７のいずれか１項に記載の無線端末装置。
【請求項９】
ＣＤＭＡ方式の無線通信サービスを提供する基地局との間で、複数のプロトコルにより無線信号により通信する無線端末装置であって、
基地局から報知される一のプロトコルのパイロット信号の信号強度が予め定められる範囲の値として検出される複数の周波数チャネルの中から、異なるプロトコルでの使用履歴又は該異なるプロトコルでの予め定められる優先度情報に基づいてスキャンする周波数チャネルを選択して、該周波数チャネルをスキャンする優先順位を下げる処理を行い、さらに前記一のプロトコルでの使用履歴又は該一のプロトコルでの予め定められる優先度情報に基づいて該周波数チャネルをスキャンする優先順位を上げる処理を行うこと
を特徴とする無線端末装置。
【発明の詳細な説明】
【技術分野】
【０００１】
本発明は、ＣＤＭＡ方式の複数のプロトコルによる無線通信サービスを提供する基地局と無線信号により通信する無線端末装置に関する。
【背景技術】
【０００２】
ＣＤＭＡ（Code Division Multiple Access）方式により無線通信を行う無線端末装置では、ＣＤＭＡ方式における複数のプロトコルに対応し、それぞれのプロトコルに対応した複数のプロトコルによって通信が可能となっている。ＣＤＭＡ方式で提供される複数のプロトコルには、ｃｄｍａ２０００  １ｘ方式（以下、「１ｘ方式」という。）とｃｄｍａ２０００  １ｘＥＶ−ＤＯ（Evolution Data Only(Optimized)）方式（以下、「ＥＶ−ＤＯ方式」という。）がある。
ＣＤＭＡ方式の無線端末装置では、複数のプロトコルが同じ周波数帯を利用するために、周波数チャネルの再割り当てを行うことによって限られた周波数チャネルを有効に利用している。その周波数チャネルの再割り当ては、無線端末装置の電源投入時、基地局が提供する通信エリア圏外からの復帰時、通信終了時などに行われている。
【０００３】
周波数チャネルの再割り当てでは、ある決められたテーブルに登録された周波数チャネルの順に基づいて、周波数チャネルをスキャンすることによって有効な周波数チャネルが検出される。そして、検出された周波数チャネルを利用可能な周波数チャネルとして選択する。その際の周波数チャネルのスキャンでは、その周波数チャネルによって待受け可能か否かに関係なく決められた順にスキャンを実施するため、その周波数チャネルにおけるノイズ成分が多く待受けできない状態の周波数チャネルであってもスキャンを行ってしまう。このような周波数チャネルのスキャンは、本来の通信以外に電力を無駄に消費してしまう要因となっている。
そこで、ノイズ成分の多い周波数チャネルへのスキャンの優先順位を下げることにより、電力消費を抑える技術が開示されている（例えば、特許文献１参照）。この技術によると、ノイズを検出したと判定した周波数チャネルをテーブルに登録し、そのテーブルに記憶された周波数チャネルへのスキャンを行う優先順位を下げることにより、利用可能性が高い周波数チャネルを優先してスキャンすることができ、パイロット信号を含む周波数チャネルを早い段階で検出することができる。これにより、スキャンする周波数チャネルの数を減らして電力消費を抑えることが可能となる。このノイズを検出したと判定する判定方法として、電界強度（ＲＳＳＩ）とパイロット信号の信号強度（Ｅｃ／Ｉｏ）に基づいて、それぞれ予め定められる１つの閾値との比較を行うという判定方法が示されている。
【特許文献１】特開２００３−１８６６１号公報
【発明の開示】
【発明が解決しようとする課題】
【０００４】
しかしながら、特許文献１によると、スキャンの順序を参照するテーブルに複数の周波数チャネルを登録して、複数の周波数チャネルのスキャンを行う処理については開示されていない。そのため、そのテーブルに無作為に複数の周波数チャネルを登録し、登録された周波数チャネルの順にしたがってスキャンするとかえってスキャンする周波数チャネルの数が増えてしまい、電力消費が増加する問題がある。
【０００５】
さらに、ＣＤＭＡ方式のプロトコルでは、複数のプロトコルが提供されているが、それらのプロトコルで使用される通信チャネルは、通信事業者ごとに定められている。そのため、同じ方式を採用する通信事業者であっても通信事業者間での通信チャネルの割付は統一されていない。
例えば、通信事業者Aが１ｘ方式として用いられている周波数チャネル（１００ｃｈ）が、通信事業者Bでは１ｘ方式として用いられず、ＥＶ−ＤＯ方式として用いられている場合がある。この周波数チャネル１００ｃｈは、通信事業者Aでは１ｘ方式において、周波数チャネルを優先させて判定するための優先順位テーブルに登録される。そのまま通信事業者Bの地域に移動して、１ｘ方式の優先順位テーブルにしたがってスキャンすると、１ｘ方式として捕捉できない周波数チャネル１００ｃｈにもスキャンすることになる。その際、ＥＶ−ＤＯ方式で用いられているこの周波数チャネル１００ｃｈは、１ｘ方式でスキャンしても受信する電界強度は検出される。ＥＶ−ＤＯ方式は、１ｘ方式から派生した規格でありパイロット信号の構成が似ていため、ＥＶ−ＤＯ方式の信号を、１ｘ方式で逆拡散してパイロット信号との相関値を判定すると、明らかに異なる信号として区別できずに相関性が低い値として検出される。
また、ＥＶ−ＤＯ方式では、基地局から無線端末装置に向かう方向の通信では、ＴＤＭＡ（Time Division Multiple Access）方式が採用され、送信出力電力が制御されることなく常に強い電力で送出されているので、無線端末装置での受信電界強度が高く検出されるため、１ｘ方式の周波数チャネルのスキャンに影響することになる。
【０００６】
そのため、電界強度と信号強度の相関値をもとにする判定方法では、ノイズがある環境で受信したときの逆拡散したパイロット信号との相関値が低くなる現象と区別することができない。そして、周波数チャネルのスキャンが不要であることを判定できずに無駄なスキャンを行ってしまい捕捉成功となるまでに多くの周波数チャネルをスキャンすることとなり、電力消費が増加する問題がある。
【０００７】
本発明は、上記問題を解決すべくなされたもので、その目的は、複数のプロトコルに対応して、周波数チャネルの捕捉処理を効率よく行い電力消費を低減できる無線端末装置を提供することにある。
【課題を解決するための手段】
【０００８】
本発明の第１の観点は、ＣＤＭＡ方式の無線通信サービスを提供する基地局との間で、複数のプロトコルにより無線信号により通信する無線端末装置であって、前記複数のプロトコルを使用可能であり、なおかつそれぞれのプロトコルにおいて複数の周波数チャネルを使用可能な通信部と、一のプロトコルにおいて所定の順で前記複数の周波数チャネルをスキャンして、周波数チャネルごとの受信電界強度（ＲＳＳＩ）を測定する電界強度測定部と、前記電界強度測定部にて、予め定められる所定の値以上の電界強度が測定される周波数チャネルにおいて報知されるパイロット情報を逆拡散する逆拡散部と、前記逆拡散部にて逆拡散された前記パイロット情報に基づいてパイロット信号の信号強度（Ｅｃ／Ｉｏ）を測定する信号強度測定部と、前記周波数チャネルのスキャンの順序を記憶する記憶部と、前記電界強度及び前記パイロット信号の信号強度の測定結果に基づいて前記周波数チャネルをスキャンする順位に優先度をつけて前記記憶部に記録する主制御部と、を備え、前記主制御部は、前記信号強度測定部にて測定された前記パイロット信号の信号強度が予め定められる閾値Ｔ２以上の値が得られた前記周波数チャネルに関しては待ち受けする周波数チャネルでの捕捉が成功したとして待ち受け処理を行い、前記閾値Ｔ２に満たず、なおかつ前記閾値Ｔ２よりも低い予め定められる閾値Ｔ１を超えた値が得られた周波数チャネルに関しては、該周波数チャネルをスキャンする優先順位を下げる処理を行い、以降の周波数チャネルのスキャンにおける優先順位を下げる。
【０００９】
また、本発明の無線端末装置において、前記主制御部は、前記信号強度測定部にて測定されたパイロット信号の信号強度が前記閾値Ｔ２に満たず、なおかつ前記閾値Ｔ１以下の値が得られた周波数チャネルに関して、該周波数チャネルの電界強度が予め定められる閾値Ｔ０以上の場合には優先順位を下げる処理を行い、該周波数チャネルの電界強度が前記閾値Ｔ０に満たない場合には優先順位を下げる処理を行わないこととしても良い。
【００１０】
また、本発明の無線端末装置において、前記主制御部は、前記信号強度測定部にて測定されたパイロット信号の信号強度が前記閾値Ｔ２に満たず、なおかつ前記閾値Ｔ１を超える値が得られた周波数チャネルに関しては、該周波数チャネルについての優先順位を下げる処理を行っても良い。
【００１１】
また、本発明の無線端末装置において、前記記憶部は、前記一のプロトコルと異なるプロトコルに対応する優先度情報を示す優先リストを記憶し、前記主制御部は、前記パイロット信号の信号強度が前記閾値Ｔ２に満たず、なおかつ前記閾値Ｔ１を超える値が得られた周波数チャネルに関して、前記異なるプロトコルにおける優先リストにあるか否かを判定し、該優先リストに含まれる場合には、該周波数チャネルについての優先順位を下げる処理を行い、該優先リストに含まれない場合には、前記周波数チャネルについての前記優先順位を下げる処理を行わないこととしても良い。
【００１２】
また、本発明の無線端末装置において、前記記憶部は、前記一のプロトコルに対応する優先度情報を示す優先リストを記憶し、前記主制御部は、前記パイロット信号の信号強度が前記閾値Ｔ２に満たず、なおかつ前記閾値Ｔ１を超える値が得られた周波数チャネルに関して、前記一のプロトコルにおける前記優先リストに含まれるか否かを判定し、該優先リストに含まれる場合には、該周波数チャネルについての優先順位を上げる処理を行っても良い。
【００１３】
また、本発明の無線端末装置において、前記記憶部は、前記一のプロトコルに対応する
使用履歴を記憶する手段を有し、前記主制御部は、前記パイロット信号の信号強度が前記閾値Ｔ２に満たず、なおかつ前記閾値Ｔ１を超える値が得られた周波数チャネルに関して、前記一のプロトコルにおける該使用履歴にあるか否かを判定し、該使用履歴にある場合には該周波数チャネルの前記優先順位を上げる処理を行っても良い。
【００１４】
また、本発明の無線端末装置において、前記記憶部は、前記一のプロトコルと異なるプロトコルに対応する使用履歴を記憶する手段を有し、前記主制御部は、前記パイロット信号の信号強度が前記閾値Ｔ２に満たず、なおかつ前記閾値Ｔ１を超える値が得られた前記周波数チャネルに関して、前記異なるプロトコルにおける前記使用履歴にあるか否かを判定し、該使用履歴にない場合には優先順位を下げる処理を行っても良い。
【００１５】
また、本発明の無線端末装置において、優先順位を下げる処理は、周波数チャネルをスキャンする順位を繰り下げる処理とし、前記優先順位を上げる処理は、前記周波数チャネルをスキャンする順位を繰り上げる処理としても良い。
【００１６】
本発明の第２の観点は、ＣＤＭＡ方式の無線通信サービスを提供する基地局との間で、複数のプロトコルにより無線信号により通信する無線端末装置であって、基地局から報知される一のプロトコルのパイロット信号の信号強度が予め定められる範囲の値として検出される複数の周波数チャネルの中から、異なるプロトコルでの使用履歴又は該異なるプロトコルでの予め定められる優先度情報に基づいてスキャンする周波数チャネルを選択して、該周波数チャネルをスキャンする優先順位を下げる処理を行い、さらに前記一のプロトコルでの使用履歴又は該一のプロトコルでの予め定められる優先度情報に基づいて該周波数チャネルをスキャンする優先順位を上げる処理を行う。
【発明の効果】
【００１７】
この本発明によれば、複数のプロトコルに対応して、周波数チャネルの捕捉処理を効率よく行い電力消費を低減できる無線端末装置を提供できる。
【発明を実施するための最良の形態】
【００１８】
以下、本発明の一実施形態について図面を参照して説明する。
図１は、本実施形態による無線端末装置を利用する通信網を示すブロック図である。
この図に示される通信網１は、無線端末装置１０を移動局とする無線通信網である。また、通信網１は、無線端末装置１０、基地局Ａ２０及び基地局Ｂ３０を備える。
【００１９】
通信網１における無線端末装置１０は、対向する基地局の通信可能範囲へ移動することにより、その基地局を介した通信を行う。無線端末装置１０には、対向する基地局として基地局Ａ２０と基地局Ｂ３０があり、無線端末装置１０は、それぞれの基地局と対向する無線通信を可能とする。無線端末装置１０は、対向する基地局の通信可能範囲へ移動することにより、その基地局を介した通信を行える。
また、無線端末装置１０は、複数のプロトコルによる通信を可能とする無線端末装置である。基地局Ａ２０は、プロトコルＸを提供する無線基地局である。基地局Ａ２０は、プロトコルＸの通信が提供される通信エリア２１を有する。基地局Ｂ３０は、プロトコルＸとプロトコルＹとを提供する無線基地局である。基地局Ｂ３０は、プロトコルＸの通信が提供される通信エリア３１と、プロトコルＹの通信が提供される通信エリア３２とを有する。
【００２０】
このような通信網１において無線端末装置１０は、通信エリア２１においては、基地局Ａ２０とプロトコルＸによって通信可能である。無線端末装置１０は、通信エリア３１又は３２においては、基地局Ｂ３０とプロトコルＸ又はＹによって通信可能である。
通信網１における通信方式、無線端末装置１０又は基地局Ｂ３０の機能によって、プロトコルＸ又はＹのいずれか一方で利用可能となることもある。
このような通信網１に、ＣＤＭＡ（Code Division Multiple Access）方式を適用する。そのときのプロトコルＸとＹとしては、ｃｄｍａ２０００  １ｘ方式（以下、「１ｘ方式」という。）とｃｄｍａ２０００  １ｘＥＶ−ＤＯ（Evolution Data Only(Optimized)）方式（以下、「ＥＶ−ＤＯ方式」という。）として説明する。
１ｘ方式とＥＶ−ＤＯ方式には、用いられる周波数やＣＤＭＡ変調における拡散コードに類似性がある。そのため、無線端末装置は利用可能な周波数チャネルを選択することによって、選択できた周波数チャネルを用いて通信する。
また、基地局Ａ２０及び基地局Ｂ３０は、他の無線端末装置による回線の利用状況などによって通信端末装置１０が利用できる周波数チャネルは変化する。また、無線端末装置１０が、基地局の通信エリアを越えて他の基地局の通信エリアに移動するときなど、無線端末装置１０は、利用可能とされる周波数チャネルをスキャンすることで検出する。
【００２１】
より具体的に説明すると、基地局Ａ２０の通信エリア２１では１ｘ方式として周波数チャネル１００ｃｈが利用可能であるが周波数チャネル２００ｃｈは利用できないこととする。また、基地局Ｂ３０の通信エリア３１では１ｘ方式として、周波数チャネル２００ｃｈが利用可能であり、通信エリア３２ではＥＶ−ＤＯ方式として、周波数チャネル１００ｃｈが利用可能とする。通信端末装置１０は、通信エリア２１において１ｘ方式で周波数チャネル１００ｃｈをスキャンすると捕捉することができる。その後、通信端末装置１０が通信エリア３１及び通信エリア３２の範囲に移動して、１ｘ方式で周波数チャネル１００ｃｈをスキャンすると、ＥＶ−ＤＯ方式の周波数チャネル１００ｃｈの電波を受信してしまうため、捕捉失敗と判定できるまでに時間がかかってしまう。そのため、利用できない周波数チャネルへのスキャンを避けることによって捕捉完了までの時間を短縮する。
【００２２】
図を参照し、通信網１における無線端末装置１０について説明する。
図２は、無線端末装置１０を示すブロック図である。無線端末装置１０は、通信部１１、操作部１２、音声入力部１３、スピーカ（ＳＰ）１４、マイク（ＭＩＣ）１５、表示部１６、記憶部１７、制御部１８を備える。
【００２３】
無線端末装置１０における通信部１１は、ＣＤＭＡ方式の複数のプロトコルにおいて用いられるプロトコルによる無線通信サービスを提供する基地局と無線信号により無線通信を行う。通信部１１が対応可能とするＣＤＭＡ方式で用いられるプロトコルには、１ｘ方式やＥＶ−ＤＯ方式がある。通信部１１は、接続されるアンテナを介して基地局から送信された無線信号を受信し、受信した無線信号を電気信号に変換する。また、通信部１１は、入力された電気信号を無線信号に変換しアンテナを介してその無線信号を出力する。操作部１２は、入力キーとその入力キーが操作されたことを検出する検出回路を有している。操作部１２は、入力キーが操作されたことを検出し、操作された入力キーに応じた信号を出力する。音声入力部１３には、スピーカ（ＳＰ）１４が接続され、通信部１１で受信した無線信号に含まれる音声情報を電気信号からスピーカ１４に出力可能な電気信号に変換し増幅して出力する。音声入力部１３には、マイク（ＭＩＣ）１５が接続され、マイク１５から入力される音声信号を増幅し、無線通信可能とする電気信号に変換し出力する。すなわち、音声入力部１３は、無線通信を可能とする電気信号である符号化されたデジタル信号と、スピーカ１４及びマイク１５を用いて入出力可能なアナログ信号との変換処理と信号増幅処理を行う。表示部１６には、液晶表示部などが設けられ、入力信号にしたがって無線端末装置１０の操作に必要とされる情報などが表示される。
【００２４】
記憶部１７は、無線端末装置１０の各種処理に用いられる情報を記憶するテーブルを割り付けられた記憶場所に記憶する記憶部であり、半導体メモリ又は磁気ディスク装置などによって構成される。記憶部１７に記憶されるテーブルには、エラーテーブル１７１、使用履歴テーブルＡ１７２−１、使用履歴テーブルＢ１７２−２、優先順位テーブルＡ１７３−１、優先順位テーブルＢ１７３−２及び周波数スキャンテーブル１７４がある。
【００２５】
エラーテーブル１７１は、無線端末装置１０が行った周波数チャネルのスキャン処理の結果、受信した無線信号にエラーが含まれる可能性が高いと判定された周波数チャネルの登録を行うテーブルである。エラーテーブル１７１に記憶される情報は、主制御部１８０による周波数スキャン処理によって更新される。
使用履歴テーブルＡ１７２−１と使用履歴テーブルＢ１７２−２は、無線端末装置１０が、パイロット信号を最近捕捉することのできた周波数チャネルを記録するテーブルであり、それぞれ１ｘ方式用とＥＶ−ＤＯ方式用に分けて用意されている。なお、使用履歴テーブルとは、ＣＤＭＡ方式においては、待ち受け等行った周波数チャネル情報を格納するＭＲＵ（Most Recently Used）テーブルと等価である。
優先順位テーブルＡ１７３−１と優先順位テーブルＢ１７３−２は、無線端末装置１０が優先度を上げてパイロット信号の捕捉を試みる周波数チャネルを記録するテーブルであり、それぞれ１ｘ方式用とＥＶ−ＤＯ方式用に分けて用意されている。なお、優先順位テーブルとは、ＣＤＭＡ方式においては、ＰＲＬ（Preferred Roaming List或いはPriority List）テーブルと等価であり、電源起動時や使用履歴の無い状態において、優先的にスキャンするべき周波数チャネルが複数記憶されている。
周波数スキャンテーブル１７４は、エラーテーブル１７１に登録されている周波数チャネルの情報に基づいて、使用履歴テーブルＡ１７２−１及び使用履歴テーブルＢ１７２−２並びに優先順位テーブルＡ１７３−１及び優先順位テーブルＢ１７３−２に記録されている周波数チャネルの情報を参照し、周波数チャネルをスキャンする順位を設定するテーブルである。
【００２６】
制御部１８は、電界強度（ＲＳＳＩ）及び前記パイロット信号の信号強度（Ｅｃ／Ｉｏ）の測定結果に基づいて周波数チャネルをスキャンする順位に優先度をつけて記憶部１７に記録する。制御部１８は、制御部１８０、電界強度測定部１８１、逆拡散部１８２、信号強度測定部１８３を備える。制御部１８における主制御部１８０は、無線端末装置１０における通信処理・信号処理・入出力処理・表示処理などを行う。主制御部１８０は、通信部１１から入力される受信信号を電界強度測定部１８１、逆拡散部１８２に出力する。また、主制御部１８０は、電界強度測定部１８１、信号強度測定部１８３から入力される測定結果を判定し、記憶部１７に判定結果を記録する。主制御部１８０は、記憶部１７に記録された各テーブルの情報を参照し、記憶されている周波数チャネルをスキャンして待受け可能な周波数チャネルを判定する。主制御部１８０は、周波数チャネルのスキャンに先立ってスキャンする周波数チャネルの優先制御処理を行い、その結果を記憶部１７に記録する。主制御部１８０が行う優先制御処理は、記憶部１７に記録されている情報に基づいてスキャン順序の優先度を判定してスキャンする順位を入れ替える処理である。
【００２７】
また、主制御部１８０は、通信部１１から受信した受信信号を変換し音声入力部１３に出力する。主制御部１８０は、音声入力部１３から入力された信号を変換し、通信部１１に出力する。主制御部１８０は、操作部１２で検出したキー入力を示す信号を判定処理し、通信制御処理などの入力信号とする。主制御部１８０は、操作部１２からの入力、通信部１１からの入力など各種情報から操作に必要とされる表示画面を生成し表示部１６に出力する。
【００２８】
電界強度測定部１８１は、指定された周波数チャネルの受信電界強度を測定し電界強度（ＲＳＳＩ）情報として出力する。逆拡散部１８２は、指定された周波数チャネルにて基地局から報知されるパイロット情報を逆拡散し、逆拡散された信号を出力する。信号強度測定部１８３は、逆拡散部１８２にて逆拡散されたパイロット情報に基づいてパイロット信号の信号強度（Ｅｃ／Ｉｏ）を測定し、測定された結果を出力する。
【００２９】
図を参照して周波数チャネルのスキャンにおける優先度制御処理に用いられるテーブルのデータ構造とデータについて説明する。
まず、周波数チャネルのスキャンについて説明する。３ＧＰＰ２（Third Generation Partnership Project 2）規格において、使用可能な周波数チャネルは、チャネル番号（チャネル名にも用いられる）により特定される値に対して一定係数を乗算し、この乗算した値を、センター周波数と呼ばれる特定周波数に対して加算することで周波数を特定して得るよう構成されている。
すなわち、主制御部１８０は、通信部１１に対してスキャンするべきチャネル番号を特定するだけで、全チャネルの周波数のテーブルをもたずともスキャン対象リストを作成することが出来る。
そして、３ＧＰＰ２によって例えば日本向けに使用可能なチャネル番号は規定されており、これら複数のチャネル番号を、無線端末装置１０は記憶部１７に記憶している。また、この複数のチャネル番号以外にも、近隣基地局情報等によって入手した使用可能なチャネル番号なども記憶部１７に記憶可能である。これらの蓄積によりスキャン対象リストが形成される。また、一方でこのようなスキャン対象リストは、様々な要因により、捕捉成功の可能性に応じて、各チャネル番号の順序が入れ替えられたりすることになる。
図３は、無線端末装置１０における記憶部１７に記憶されるテーブルを示す図である。ちなみに、上述したように、チャネル番号さえ特定できれば周波数は即時割り出すことが出来るため、以下の各テーブルにおいて「周波数チャネル」としては、実際には周波数の数値をテーブル登録しているわけではなく、チャネル番号を登録するだけで対応可能である。
【００３０】
（ａ）は、記憶部１７におけるエラーテーブル１７１を示す概略図である。
エラーテーブル１７１は、無線端末装置１０が行った周波数チャネルのスキャン処理の結果、エラーがあると判定された周波数チャネルの登録を行うテーブルであり、それぞれ１ｘ方式用とＥＶ−ＤＯ方式用に分けて用意されている。図は１ｘ方式用を示す。エラーテーブル１７１は、行と列からなる２次元の表形式のテーブルとして例示しており、「Ｎｏ．」と「周波数チャネル」の項目の列を有する。周波数テーブル１７１における「Ｎｏ．」は、周波数テーブル１７１に記録される情報を一意に示す番号を示す項目である。その項目によって示される要素には、１から順にｍまでの数値が記憶される。「周波数チャネル」は、無線端末装置１０が通信可能とする周波数チャネルを示す項目である。このテーブルの行に示される要素には、無線端末装置１０が通信可能とする「ｅｆ１」から「ｅｆｍ」で示されるｍ個の周波数チャネルが順に記憶される。このテーブルは、「Ｎｏ．」をキーとして参照される。
【００３１】
（ｂ）は、記憶部１７における使用履歴テーブルＡ１７２−１を示す概略図である。
使用履歴テーブルＡ１７２−１と使用履歴テーブルＢ１７２−２は、無線端末装置１０が最近捕捉した周波数チャネルを記録するテーブルであり、それぞれ１ｘ方式用とＥＶ−ＤＯ方式用に分けて用意されている。図に示される使用履歴テーブルＡ１７２−１は、１ｘ方式用のものであり、図示されないＥＶ−ＤＯ方式用の使用履歴テーブルＢ１７２−２は、使用履歴テーブルＡ１７２−１と同じ構成を有する。使用履歴テーブルＡ１７２−１は、行と列からなる２次元の表形式のテーブルとしており、「Ｎｏ．」と「周波数チャネル」の項目の列を有する。使用履歴テーブルＡ１７２−１における「Ｎｏ．」は、使用履歴テーブルＡ１７２−１に記録される情報を一意に示す番号を示す項目である。その項目によって示される要素には、１から順にｓまでの数値が記憶される。「周波数チャネル」は、無線端末装置１０が通信可能とする周波数チャネルを示す項目である。このテーブルの行に示される要素には、無線端末装置１０が通信可能とする「ｆｘ１」から「ｆｘｓ」で示されるｓ個の周波数チャネルが順に記憶される。このテーブルは、「Ｎｏ．」をキーとして参照される。
【００３２】
（ｃ）は、記憶部１７における優先順位テーブルＡ１７３−１を示す概略図である。
優先順位テーブルＡ１７３−１と優先順位テーブルＢ１７３−２は、無線端末装置１０が優先度を上げて捕捉を試みる周波数チャネルを記録するテーブルであり、それぞれ１ｘ方式用とＥＶ−ＤＯ方式用に分けて用意されている。図に示される優先順位テーブルＡ１７３−１は、１ｘ方式用のものであり、図示されないＥＶ−ＤＯ方式用の優先順位テーブルＢ１７３−２は、優先順位テーブルＡ１７３−１と同じ構成を有する。優先順位テーブルＡ１７３−１は、行と列からなる２次元の表形式のテーブルとしており、「Ｎｏ．」と「周波数チャネル」の項目の列を有する。周波数テーブル１７３−１における「Ｎｏ．」は、周波数テーブル１７３−１に記録される情報を一意に示す番号を示す項目である。その項目によって示される要素には、１から順にｔまでの数値が記憶される。「周波数チャネル」は、無線端末装置１０が通信可能とする周波数チャネルを示す項目である。このテーブルの行に示される要素には、無線端末装置１０が通信可能とする「ｆｙ１」から「ｆｙｔ」で示されるｔ個の周波数チャネルが順に記憶される。このテーブルは、「Ｎｏ．」をキーとして参照される。
【００３３】
（ｄ）は、記憶部１７における周波数スキャンテーブル１７４を示す概略図である。
周波数スキャンテーブル１７４は、エラーテーブル１７１に登録されている周波数チャネルの情報に基づいて、主制御部１８０が優先度を上げて捕捉を試みる周波数チャネルを記録するテーブルであり、それぞれ１ｘ方式用とＥＶ−ＤＯ方式用に分けて用意されている。図は１ｘ方式用を示す。周波数スキャンテーブル１７４は、行と列からなる２次元の表形式のテーブルとしており、「Ｎｏ．」と「周波数チャネル」の項目の列を有する。周波数テーブル１７４における「Ｎｏ．」は、周波数テーブル１７４に記録される情報を一意に示す番号を示す項目である。その項目によって示される要素には、１から順にｕまでの数値が記憶される。「周波数チャネル」は、無線端末装置１０が通信可能とする周波数チャネルを示す項目である。このテーブルの行に示される要素には、無線端末装置１０が通信可能とする「ｆｚ１」から「ｆｚｕ」で示されるｕ個の周波数チャネルが順に記憶される。このテーブルは、「Ｎｏ．」をキーとして参照される。
【００３４】
図を参照して無線端末装置１０のパイロット信号の検出処理における動作について説明する。
図４は、無線端末装置１０におけるパイロット信号の受信状態を示す図である。
この図に示されるそれぞれのグラフでは、横軸が周波数を示し、縦軸がパイロットチャネルで受信した信号を逆拡散し、そのときのパイロット信号との相関値をエネルギー値として示している。すなわち、示される値は、信号強度に相当する。信号強度において、２つの閾値Ｔ１と閾値Ｔ２を設定する。閾値Ｔ２は、信号強度値においてシンクチャネル（ＳｙｎｃＣＨ）を取得可能なエネルギー値を有するか否かを判定する値とする。閾値Ｔ１は、閾値Ｔ２より低い値とする。
【００３５】
（ａ）に示されるグラフは、正常にパイロットチャネルが捕捉可能な場合を示した図である。この図に示される状態は、受信した無線信号を逆拡散した信号においてパイロット信号との相関値が高く検出できて、そのピークは閾値Ｔ２を超えている状態を示す。この状態は、電界強度も十分にあり、逆拡散も正常に行われた結果のときに該当する。
（ｂ）に示されるグラフは、パイロットチャネルが捕捉できない場合を示した図である。この図に示される状態は、受信した無線信号を逆拡散した信号におけるパイロット信号との相関値が低く検出され、そのピークは閾値Ｔ１に満たない状態を示す。この状態は、電界強度が不足している状態、あるいはノイズの影響を受け逆拡散が正常に行えていない状態などが該当する。
【００３６】
（ｃ）に示されるグラフは、パイロットチャネルが捕捉できそうであるができない場合を示した図である。この図に示される状態は、受信した無線信号を逆拡散した信号におけるパイロット信号との相関値がある程度のレベルで検出され、そのピークは閾値Ｔ１を超えているものの、閾値Ｔ２に満たない状態を示す。このような状態を示す場合には、異なるプロトコルにおいて当該周波数チャネルあるいはその近傍の周波数チャネルが利用されている場合などに生じることがある。この状態は、電界強度としては十分にあるが、逆拡散処理の結果パイロットチャネルを捕捉しきれず、シンクチャネルを取得できない状態である。信号のレベルだけで判定すると、ノイズの影響を受けたと推定され、捕捉処理を繰り返すことによりノイズの影響が去った後には捕捉されることが期待できると判定される状態である。
【００３７】
しかし、前述のように、このような状態を示す場合には、異なるプロトコルにおいて同じ周波数チャネルが利用されている場合があり得る。ところが、信号のレベルだけでの判定では異なるプロトコルで利用されていることを検出しきれないため、周波数チャネルのスキャニングを繰り返し行っても捕捉できないこととなる。そのような無駄な動作を回避するには、異なるプロトコルにおける周波数チャネルの利用状況を考慮することが必要になる。
【００３８】
以下、図を参照して無線端末装置１０のスキャンする周波数チャネルの優先制御処理における動作について説明する。ここでは仮に、周波数チャネルのスキャンを行うプロトコルを１ｘ方式のプロトコルであるとして説明する。
図５は、無線端末装置１０におけるスキャンする周波数チャネルの第１の優先制御処理を示す図である。
この図に示される処理は、エラーテーブル１７１−１に記憶される情報と使用履歴テーブルＡ１７２−１に記憶される情報をもとに、周波数スキャンテーブル１７４−１に登録される周波数チャネルの順序の並び替えを行う処理である。
まず、エラーテーブル１７１−１は、先に示したエラーテーブル１７１について、登録する周波数チャネルを５チャンネル（ｍ＝５）として示したものである。このエラーテーブル１７４−１には、順に周波数１００ｃｈ、周波数２００ｃｈ、周波数３００ｃｈ、周波数４００ｃｈ、周波数５００ｃｈが記憶されている。
次に使用履歴テーブルＡ１７２−１は、先に示した使用履歴テーブルＡ１７２−１について、登録する周波数チャネルを３チャンネル（ｓ＝３）として示したものである。この使用履歴テーブルＡ１７２−１は、周波数チャネルのスキャンを行うプロトコルと同一の１ｘ方式のプロトコルで最近待受けに使用した周波数チャネルが記憶されている使用履歴テーブルを示す。この使用履歴テーブルＡ１７２−１には、最近使用した周波数チャネルから順に、周波数４００ｃｈ、周波数２００ｃｈ、周波数３００ｃｈの順に記憶されている。
【００３９】
周波数スキャンテーブル１７４−１は、先に示した周波数スキャンテーブル１７４について、登録する周波数チャネルを５チャンネル（ｕ＝５）として示したものである。この周波数スキャンテーブル１７４−１は、スキャンする周波数チャネルが、その優先度を示す順に記憶される。周波数スキャンテーブル１７４−１は、エラーテーブル１７１−１と使用履歴テーブルＡ１７２−１とに記録されている周波数チャネルを比較して、登録される周波数チャネルが決定される。周波数スキャンテーブル１７４−１には、エラーテーブル１７１−１に記憶されている周波数チャネルより、使用履歴テーブルＡ１７２−１に記録されている周波数チャネルの方が優先度を高くするように登録される。その登録順の設定は、主制御部１８０による優先制御処理によって行われる。
この図に示される例では、優先制御処理の結果、使用履歴テーブルＡ１７２−１にある周波数４００ｃｈ、周波数２００ｃｈ、周波数３００ｃｈの優先度が高く設定される。その結果、周波数スキャンテーブル１７４−１には、優先度が高い順に周波数４００ｃｈ、周波数２００ｃｈ、周波数３００ｃｈ、周波数１００ｃｈ、周波数５００ｃｈの順に並び替えられた結果が主制御部１８０によって記録される。すなわち、このスキャンテーブルを用いて次回の周波数チャネルのスキャンを行う場合には、周波数４００ｃｈから始まることになる。
【００４０】
図６は、無線端末装置１０におけるスキャンする周波数チャネルの第２の優先制御処理を示す図である。
この図に示される処理は、図５において作成した周波数スキャンテーブル１７４−１に記憶される情報と優先順位テーブルＡ１７３−１に記憶される情報をもとに、周波数スキャンテーブル１７４−２に登録される周波数チャネルの順序の並び替えを行う処理である。
まず、図５において作成した周波数スキャンテーブル１７４−１は、先に示した登録する周波数チャネルを５チャンネルとして示したものであり、順に周波数４００ｃｈ、周波数２００ｃｈ、周波数３００ｃｈ、周波数１００ｃｈ、周波数５００ｃｈが記憶されている。
優先順位テーブルＡ１７３−１は、先に示した優先順位テーブルＡ１７３−１について、登録する周波数チャネルを３チャンネル（ｔ＝３）として示したものである。この優先順位テーブルＡ１７３−１は、周波数チャネルのスキャンを行うプロトコルと同一の１ｘ方式のプロトコルにおいて優先的にスキャンを行うべき周波数チャネルが記憶されている優先順位テーブルを示す。この優先順位テーブルＡ１７３−１には、優先的にスキャンを行うべき周波数チャネルから順に、周波数６００ｃｈ、周波数５００ｃｈ、周波数４００ｃｈの順に記憶されている。
【００４１】
周波数スキャンテーブル１７４−２は、周波数スキャンテーブル１７４−１において、既に使用履歴テーブルＡ１７２−１に基づいて、優先順位上位３番目までの周波数チャネル、周波数４００ｃｈ、周波数２００ｃｈ、周波数３００ｃｈが主制御部１８０によって特定されている。そこで、残る２つの周波数チャネル、周波数１００ｃｈ、周波数５００ｃｈについての順位を特定する。ここで、周波数１００ｃｈおよび周波数５００ｃｈを、優先順位テーブルＡ１７３−１に記録されている周波数チャネルと比較して、その順位を決定する。その登録順の設定は主制御部１８０による優先制御処理によって行われる。
この図に示される例では、優先制御処理の結果、周波数５００ｃｈが優先順位テーブルＡ１７３−１に登録されており、周波数１００ｃｈが優先順位テーブルＡ１７３−１に登録されていない。そのため、周波数５００ｃｈの優先度を周波数１００ｃｈよりも高く設定される。その結果、周波数スキャンテーブル１７４−２には、優先度が高い順に周波数４００ｃｈ、周波数２００ｃｈ、周波数３００ｃｈ、周波数５００ｃｈ、周波数１００ｃｈの順に並び替えられた結果が主制御部１８０によって記録される。
ここで示したように、優先制御では、使用履歴テーブルに登録されている周波数チャネルの方が、優先順位テーブルに登録されている周波数チャネルより優先度を高くするよう構成している。
【００４２】
次に、図を参照して無線端末装置１０がスキャンする周波数チャネルの優先制御処理における動作について説明する。なお、周波数チャネルのスキャンを行うプロトコルを１ｘ方式のプロトコルであるとして説明する。
図７と図８は、無線端末装置１０のスキャンする周波数チャネルの優先制御処理を示すフローチャートである。
【００４３】
まず、主制御部１８０は、記憶部１７に割り付けられているこの時点において記憶部１７において記憶される最新のスキャン対象リストを参照する。ここでは、仮に、この時点で記憶されている周波数チャネル（チャネル番号）を、ｆｎ（ｆ１〜ｆｎmax）とする。そして、スキャン対象リストの順序に基づいて、主制御部１８０は、ｆｎ（ｆ１〜ｆｎmax）の順にスキャンを開始する。主制御部１８０は、インデックス（ｎ）を記憶部１７における変数記憶領域に割付けて、その初期値（ｎ＝１）を設定する（ステップＳａ１）。
主制御部１８０は、記憶部１７に割り付けられている最新のエラーテーブル１７１を参照し、周波数チャネルｆｎが登録されているか否かを判定する。周波数チャネルｆｎが登録されていると判定した場合には、次の周波数チャネルの判定処理(ステップＳａ１０)に移る(ステップＳａ２)。
【００４４】
ステップＳａ２の判定の結果、主制御部１８０は、周波数チャネルｆｎが登録されていないと判定したときには、周波数チャネルｆｎでの電界強度（ＲＳＳＩ）を測定する。周波数チャネルｆｎの電界強度の測定では、主制御部１８０は、周波数チャネルｆｎを通信部１１によって受信させ、その受信信号の電界強度を電界強度測定部１８１に測定させる。主制御部１８０は、電界強度測定部１８１での測定結果として電界強度情報（Ｐ）を取得し、取得した電界強度情報（Ｐ）を記憶部１７における変数記憶領域に割付けて記録する（ステップＳａ３）。
主制御部１８０は、逆拡散部１８２に周波数チャネルｆｎの無線信号を逆拡散させる。
主制御部１８０は、逆拡散部１８２にて逆拡散された受信信号からパイロット情報に基づいた相関値を信号強度測定部１８３によって測定する。周波数チャネルｆｎのパイロット信号の信号強度（Ｅｃ／Ｉｏ）の測定では、主制御部１８０は、信号強度測定部１８３によって測定された測定結果のパイロット信号の信号強度（Ｅｃ／Ｉｏ）を記憶部１７における変数記憶領域に割付けて記録する（ステップＳａ４）。
【００４５】
主制御部１８０は、周波数チャネルｆｎにおいてパイロット信号を検出できたか否かを判定する。その判定は、信号強度測定部１８３において測定されたパイロット信号の信号強度（Ｅｃ／Ｉｏ）が予め定められる閾値Ｔ２以上の値が得られたか否かを判定することによって行われる。主制御部１８０は、その判定の結果、周波数チャネルｆｎに関して、その信号強度（Ｅｃ／Ｉｏ）が閾値Ｔ２以上であれば、パイロット信号を検出できたと判定する。そして、主制御部１８０は、待受けする周波数チャネルでの捕捉が成功したとして待ち受け処理を行い周波数チャネルのスキャンを終了する（ステップＳａ５）。なお、この捕捉に成功した周波数チャネルｆｎを使用履歴テーブルＡ１７２−１に登録することとなる。
【００４６】
一方、主制御部１８０は、ステップＳａ５の判定の結果、周波数チャネルｆｎにおいて信号強度（Ｅｃ／Ｉｏ）が閾値Ｔ２に満たず、パイロット信号を検出できなかったと判定すると、その信号強度（Ｅｃ／Ｉｏ）が予め定められる閾値Ｔ１以下であるか否かを判定する（ステップＳａ６）。
主制御部１８０は、ステップＳａ６の判定の結果、信号強度（Ｅｃ／Ｉｏ）が予め定められる閾値Ｔ１以下であると判定すると、記憶部１７を参照し記憶されている電界強度（ＲＳＳＩ）の測定結果（Ｐ）が予め定められる閾値Ｔ０以上であるか否かの判定を行う。主制御部１８０は、その判定の結果、周波数チャネルｆｎにおいて電界強度（ＲＳＳＩ）が予め定められる閾値Ｔ０以上であると判定した場合には優先順位低下処理（ステップＳａ９）を行い、電界強度が閾値Ｔ０に満たない場合には優先順位低下処理(ステップＳａ９)を行わずに次の周波数チャネルの判定処理(ステップＳａ１０)に移る（ステップＳａ７）。
【００４７】
また、主制御部１８０は、ステップＳａ６の判定の結果、信号強度（Ｅｃ／Ｉｏ）が予め定められる閾値Ｔ１を超えていると判定すると、記憶部１７を参照し記憶されている異なるプロトコルであるＥＶ−ＤＯ方式の優先順位テーブルＢ１７３−２又は使用履歴テーブルＢ１７２−２を参照する。主制御部１８０は、優先順位テーブルＢ１７３−２又は使用履歴テーブルＢ１７２−２を参照して、同じ周波数チャネルｆｎが登録されているか否かを判定する（ステップＳａ８）。
【００４８】
そして、主制御部１８０は、ステップＳａ８の判定の結果、優先順位テーブルＢ１７３−２又は使用履歴テーブルＢ１７２−２を参照して、それらのテーブルに同じ周波数チャネルｆｎが登録されていると判定した場合には、優先順位を下げるための優先順位低下処理として、記憶部１７を参照し記憶されているエラーテーブル１７１に周波数チャネルｆｎを追加して記録する(ステップＳａ９)。
【００４９】
また、主制御部１８０は、ステップＳａ８の判定の結果、優先順位テーブルＢ１７３−２又は使用履歴テーブルＢ１７２−２を参照して、同じ周波数チャネルｆｎが登録されていないと判定した場合には、次の周波数チャネルの判定処理に移るため、記憶部１７の変数記憶領域に記憶されているインデックス（ｎ）の値に１を加算し、変数記憶領域に加算されたｎの値を記録する (ステップＳａ１０)。
さらに、主制御部１８０は、インデックス（ｎ）の値を、周波数チャネルテーブル１７０に登録されている周波数チャネルの数を示すｎｍａｘの値を超えたか否かを判定する。その判定の結果、インデックス（ｎ）の値がｎｍａｘの値を超えていない場合には、周波数チャネルテーブル１７０において次に登録されている周波数チャネルのスキャン処理（ステップＳａ２）を行う。その判定の結果、インデックス（ｎ）の値がｎｍａｘの値を超えた場合には、周波数チャネルテーブル１７０に登録されている全ての周波数チャネルのスキャンを終えて、次の優先制御処理を行う（ステップＳａ１１）。
【００５０】
優先制御処理は、エラーテーブル１７１に登録されている周波数チャネル（ｅｆｍ：ｅｆ１〜ｅｆｍｍａｘ）のスキャンを行う順序について優先度を考慮して並び換えを行う処理である。すなわち、図５および図６において説明した処理を行う。
主制御部１８０は、記憶部１７に記憶されているエラーテーブル１７１、同じプロトコルの情報を記憶する使用履歴テーブルＡ１７２−１及び優先順位テーブルＡ１７３−１を参照する。また、周波数スキャンテーブル１７４は初期化され、周波数チャネルを未登録の状態にする。
主制御部１８０は、使用履歴テーブルＡ１７２−１に記憶されている周波数チャネルがエラーテーブル１７１にも登録されているときには、その周波数チャネルを周波数スキャンテーブル１７４において優先度を高い順位を示す位置に順に記録する。続いて、主制御部１８０は、優先順位テーブルＡ１７３−１に記憶されている周波数チャネルがエラーテーブル１７１にも登録されているときには、その周波数チャネルを周波数スキャンテーブル１７４の未登録の領域において優先度を高い順位に記録する。
主制御部１８０は、エラーテーブル１７１に記憶されている残りの周波数チャネルについては、エラーテーブル１７１に記憶されている優先度の高い順にしたがい、周波数スキャンテーブル１７４の未登録の領域で優先度の高い位置から順に記録する。主制御部１８０は、周波数スキャンテーブル１７４に記憶された周波数チャネルの順でエラーテーブル１７１にも記録する。主制御部１８０は、インデックス（ｕ）を記憶部１７における変数記憶領域に割付けて、その初期値（ｕ＝１）を設定する（ステップＳａ１２）。
【００５１】
主制御部１８０は、記憶部１７に記憶されている周波数スキャンテーブル１７４を参照し、周波数スキャンテーブル１７４に記憶されている順にしたがって周波数チャネルｆｚｕの電界強度（ＲＳＳＩ情報）を測定する。周波数チャネルｆｚｕの電界強度情報の測定では、主制御部１８０は、周波数チャネルｆｚｕを通信部１１に受信させ、その受信信号の電界強度を電界強度測定部１８１に測定させる。主制御部１８０は、電界強度測定部１８１での測定結果として電界強度情報（Ｐ）を記憶部１７における変数記憶領域に割付けて記録する（ステップＳａ１３）。
主制御部１８０は、逆拡散部１８２に周波数チャネルｆｚｕの受信信号を逆拡散させる。主制御部１８０は、逆拡散部１８２にて逆拡散されたパイロット情報に基づいて出力する結果を信号強度測定部１８３によって測定する。周波数チャネルｆｚｕのパイロット信号の信号強度（Ｅｃ／Ｉｏ）の測定では、主制御部１８０は、測定結果のパイロット信号の信号強度（Ｅｃ／Ｉｏ）を記憶部１７における変数記憶領域に割付けて記録する（ステップＳａ１４）。
主制御部１８０は、パイロット信号を検出できたか否かを判定する。その判定は、信号強度測定部１８３において測定されたパイロット信号の信号強度（Ｅｃ／Ｉｏ）が予め定められる閾値Ｔ２以上の値が得られたか否かの判定によって行う（ステップＳａ１５）。主制御部１８０は、判定の結果、周波数チャネルｆｚｕに関して、その信号強度（Ｅｃ／Ｉｏ）が閾値Ｔ２以上であれば（ステップＳａ１５“Ｙｅｓ”）、パイロット信号を検出できたと判定する。そして、主制御部１８０は、待受けする周波数チャネルでの捕捉が成功したとして待ち受け処理を行い周波数チャネルのスキャンを終了する。
【００５２】
主制御部１８０は、ステップＳａ１５の判定の結果、パイロット信号を検出できなかったと判定した場合には（ステップＳａ１５“Ｎｏ”）、次の周波数チャネルの処理をするため、記憶部１７の変数記憶領域に記憶されたインデックス（ｕ）の値に１を加算し変数記憶領域に加算されたｕの値を記録する (ステップＳａ１６)。
主制御部１８０は、インデックス（ｕ）の値を、周波数スキャンテーブル１７４に登録されている周波数チャネルの数を示すｕｍａｘの値を超えたか否かを判定する。判定の結果、インデックス（ｕ）の値がｕｍａｘの値を超えていない場合には次の周波数チャネルのスキャン処理（ステップＳａ１３）を行う。判定の結果、インデックス（ｕ）の値がｕｍａｘの値を超えた場合には、全ての周波数チャネルのスキャンを終えて、パイロット信号の捕捉に失敗した状態でスキャニング処理を終了する（ステップＳａ１７）。
【００５３】
以上に示したように、周波数スキャンテーブル１７４に記憶されている情報を周波数チャネルのスキャンを行うごとに更新する。その更新処理は、２段階の処理によって行われる。その第１の処理は、エラーテーブル１７１に記憶されていない周波数チャネルの中から利用可能性のある周波数チャネルを選定し、パイロット信号の検出まで至らなかった周波数チャネルについてはエラーテーブル１７１に登録する。その第２の処理は、エラーテーブル１７１に記憶されていた周波数チャネルと第１の処理で選定した周波数チャネルについて、優先度を考慮してスキャンする順序を選定してスキャンする処理である。
これらの処理により、全周波数チャネルの中からスキャン対象とする周波数チャネル数を減らすことができ、なおかつそのスキャン対象とする周波数チャネルにおいても利用可能性が高いものから順にスキャンする検索を行うので、パイロット信号を含む周波数チャネルを捕捉成功となるまでの周波数チャネルのスキャン回数を削減することができ、パイロット信号を捕捉できるまでのスキャン時間の短縮並びに電力消費の低減が可能となる。また、圏外発生時において、バッテリーセーブなどの観点から、スキャン動作を常時行うのではなく、一定周期ごとに所定時間だけスキャン動作を行うように構成する場合があり得る。このような構成のとき、各周波数チャネルの捕捉試行に時間がかかると、所定時間内に全ての周波数チャネルがスキャンできなかい場合が生じ得る。このような場合においても本発明の実施形態に拠れば、捕捉出来る可能性の低いチャネルほど下位になるよう制御されるため、極力成功率の高い周波数チャネルのスキャンのみに特化してスキャンすることになり、電池消費を抑えながらも非常に効率が良い。
【００５４】
以上に示したように、無線端末装置１０は、複数のプロトコルを提供する基地局から報知された一のプロトコルのパイロット信号の信号強度（Ｅｃ／Ｉｏ）を測定する。主制御部１８０は、その信号強度が予め定められる範囲（閾値Ｔ１＜（Ｅｃ／Ｉｏ）＜閾値Ｔ２）の値で示された複数の周波数チャネルの中から、異なるプロトコルでの使用履歴テーブルＢ１７２−２に記憶された使用履歴情報又は優先順位テーブルＢ１７３−２（優先リスト）に記憶された優先度情報に基づいて、スキャンする周波数チャネルを選択する優先順位を下げる処理を行う。さらに主制御部１８０は、同一のプロトコルでの使用履歴テーブルＡ１７２−１に記憶された使用履歴情報又は優先順位テーブルＡ１７３−１（優先リスト）に記憶された優先度情報に基づいて該周波数チャネルをスキャンする優先順位を決定する。
これにより、パイロット信号の信号強度（Ｅｃ／Ｉｏ）の測定結果と、異なるプロトコルでの使用履歴又は優先度情報から、異なるプロトコルで利用されている可能性が高い周波数チャネルのスキャンの優先順位を下げて、同周波数チャネルへのスキャン回数を減らすことができる。また、同じプロトコルでの使用履歴又は優先度情報から、同じプロトコルで利用されている可能性が高い周波数チャネルのスキャンの優先順位を上げて、同周波数チャネルへのスキャンを先に行うことができる。
そして、捕捉完了までにスキャンする周波数チャネルの数を減らすことができ、捕捉完了までの処理時間を短縮し、その間に必要となる電力消費を低減することが可能となる。
【００５５】
また、無線端末装置１０は、信号強度測定部１８３にて測定されたパイロット信号の信号強度（Ｅｃ／Ｉｏ）が予め定められる閾値Ｔ２以上の値が得られた周波数チャネルに関しては待ち受けする周波数チャネルでの捕捉が成功したとして待ち受け処理を行う。主制御部１８０は、閾値Ｔ２に満たず、なおかつ閾値Ｔ２よりも低い予め定められる閾値Ｔ１を超えた値が得られた周波数チャネルに関しては、周波数チャネルをスキャンする優先順位を下げる優先順位を下げる処理を行う。そして、主制御部１８０は、以降の周波数チャネルのスキャンにおける優先順位を下げる。
これにより、主制御部１８０は、パイロット信号の信号強度（Ｅｃ／Ｉｏ）が閾値Ｔ２以上の値であれば、他の周波数チャネルのスキャンを実施せずに待ち受け処理が行える。また、主制御部１８０は、閾値Ｔ２に満たず閾値Ｔ１を超える周波数チャネルは、ノイズの影響を受けているか、異なるプロトコルで利用している周波数チャネルであるか判定しきれない。そのため、主制御部１８０は、周波数チャネルをスキャンする優先順位を下げることにより、その周波数チャネルへのスキャン回数を減らすことができる。
【００５６】
また、主制御部１８０は、信号強度測定部１８３において測定されたパイロット信号の信号強度（Ｅｃ／Ｉｏ）が閾値Ｔ１以下の値が得られた周波数チャネルに関して、電界強度情報が予め定められる閾値Ｔ０以上の場合には優先順位を下げる処理を行い、電界強度情報が前記閾値Ｔ０に満たない場合には前記優先順位を下げる処理を行わない。
これにより、主制御部１８０は、電界強度が低く電界強度情報が所定の値（閾値Ｔ０）に満たない場合は、周波数チャネルは利用されていないと判定する。主制御部１８０は、電界強度情報が所定の値（閾値Ｔ０）を満たしているが、パイロット信号の信号強度（Ｅｃ／Ｉｏ）が閾値Ｔ１以下となる場合は、ノイズの影響を受けている可能性があると判定できる。そして、主制御部１８０は、ノイズの影響を受けている可能性があると判定した周波数チャネルは、スキャニングを行う対象として扱うことができる。
【００５７】
また、主制御部１８０は、信号強度測定部１８３において測定されたパイロット信号の信号強度（Ｅｃ／Ｉｏ）が閾値Ｔ２に満たず、なおかつ閾値Ｔ１を超える値が得られた周波数チャネルに関しては、優先順位を下げる処理を行う。
これにより、ノイズの影響を受けている可能性があると判定した周波数チャネルは、優先度を下げてスキャンする対象として扱うことができる。
【００５８】
また、記憶部１７は、一のプロトコルと異なるプロトコルに対応する優先度情報を示す優先順位テーブルＢ１７３−２（優先リスト）をさらに有し、主制御部１８０は、パイロット信号の信号強度（Ｅｃ／Ｉｏ）が閾値Ｔ２に満たず、なおかつ閾値Ｔ１を超える値が得られた周波数チャネルに関して、異なるプロトコルにおける優先順位テーブルＢ１７３−２に記憶されているか否かを判定し、優先順位テーブルＢ１７３−２に記憶されている周波数チャネルについて優先順位を下げる処理を行い、優先順位テーブルＢ１７３−２に記憶されていない周波数チャネルについて優先順位を下げる処理を行わない。
これにより、主制御部１８０は、異なるプロトコルにおける優先度情報をもとにして、その周波数チャネルでのスキャンの優先度を下げることができる。そして、捕捉できる可能性が低い周波数チャネルでのスキャンの優先度を下げることにより、捕捉できるまでのスキャン回数を低減することができる。
【００５９】
また、記憶部１７は、一のプロトコルと同一のプロトコルに対応する優先度情報を示す優先順位テーブルＡ１７３−１をさらに有し、主制御部１８０は、パイロット信号の信号強度（Ｅｃ／Ｉｏ）が閾値Ｔ２に満たず、なおかつ閾値Ｔ１を超える値が得られた周波数チャネルに関して、同一のプロトコルにおける優先順位テーブルＡ１７３−１に記憶されているか否かを判定し、優先順位テーブルＡ１７３−１に記憶されている周波数チャネルについて周波数チャネルの優先順位を上げる処理を行う。
これにより、主制御部１８０は、同一のプロトコルにおける優先度情報をもとにして、その周波数チャネルでのスキャンを優先的に行わせることができる。そして、捕捉できる可能性が高い周波数チャネルでのスキャンを優先させることにより、捕捉できるまでのスキャン回数を低減することができる。
【００６０】
また、記憶部１７は、一のプロトコルと同一のプロトコルに対応する使用履歴を記憶する使用履歴テーブルＡ１７２−１を有し、主制御部１８０は、パイロット信号の信号強度（Ｅｃ／Ｉｏ）が閾値Ｔ２に満たず、なおかつ閾値Ｔ１を超える値が得られた周波数チャネルに関して、同一のプロトコルにおける使用履歴テーブルＡ１７２−１の使用履歴にあるか否かを判定し、使用履歴にある場合には該周波数チャネルの優先順位を上げる処理を行う。
これにより、主制御部１８０は、同一のプロトコルにおける使用履歴情報をもとにして、その周波数チャネルでのスキャンを優先的に行わせることができる。そして、捕捉できる可能性が高い周波数チャネルでのスキャンを優先させることにより、捕捉できるまでのスキャン回数を低減することができる。
【００６１】
また、記憶部１７は、一のプロトコルと異なるプロトコルに対応する使用履歴を記憶する使用履歴テーブルＢ１７２−２を有し、主制御部１８０は、パイロット信号の信号強度（Ｅｃ／Ｉｏ）が閾値Ｔ２に満たず、なおかつ閾値Ｔ１を超える値が得られた周波数チャネルに関して、異なるプロトコルにおける使用履歴テーブルＢ１７２−２の使用履歴にあるか否かを判定し、使用履歴にない場合には該周波数チャネルの優先順位を下げる処理を行う。
これにより、主制御部１８０は、異なるプロトコルにおける使用履歴情報をもとにして、その周波数チャネルでのスキャンの優先度を下げることができる。そして、捕捉できる可能性が低い周波数チャネルでのスキャンの優先度を下げることにより、捕捉できるまでのスキャン回数を低減することができる。
【００６２】
また、主制御部１８０による優先順位を下げる処理は、周波数チャネルをスキャンする順位を繰り下げる処理とする。そして、主制御部１８０による優先順位を上げる処理は、周波数チャネルをスキャンする順位を繰り上げる処理とする。
これにより、主制御部１８０が行うスキャン処理において、周波数チャネルの優先度に応じた順序を設定することによって、捕捉できるまでのスキャン回数を低減することができる。
【００６３】
なお、本発明は、上記の各実施形態に限定されるものではなく、本発明の趣旨を逸脱しない範囲で変更可能である。本発明の無線端末装置が対応するプロトコル及びプロトコルは、例示した１ｘ方式又はＥＶ−ＤＯ方式に制限されることなく、他の種類のプロトコル及びプロトコルに適用することができ、対応するプロトコル並びにプロトコルの数や接続形態についても特に限定されるものではない。
また、ステップＳａ８において主制御部１８０によって参照される異なるプロトコルであるＥＶ−ＤＯ方式の優先順位テーブルＢ１７３−２又は使用履歴テーブルＢ１７２−２は、いずれか一方又は双方をそれぞれ選択することが可能である。
また、記憶部１７に割り付けられるエラーテーブル１７１と周波数スキャンテーブル１７４は個別に設けられるものとして説明したが、エラーテーブル１７１に統一してエラーテーブル１７１内に記憶される周波数チャネルの入れ替えを行うことにより、優先制御処理を行うこととしても良い。
また、操作部１２は、入力を検出する入力キーのほかに、入力処理を行える手段を有するものであれば良い。例えば、タッチパネル、キーボード、マウスなどであっても良い。
また、無線端末装置１０は、携帯電話端末装置に限らず、無線通信が行える端末装置、通信機能を有するナビゲーション端末及びゲーム端末或いはコンピュータに接続して用いられる通信モジュールであっても良い。
【００６４】
上述の無線端末装置１０は、内部にコンピュータプロトコルを有している。そして、上述した無線端末装置１０が行う周波数チャネルのスキャンの処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００６５】
【図１】本発明の実施形態による無線端末装置を利用する通信プロトコルを示すブロック図である。
【図２】同実施形態における無線端末装置を示すブロック図である。
【図３】同実施形態における無線端末装置の記憶部に記憶されるテーブルを示す図である。
【図４】同実施形態における無線端末装置の動作を示す図である。
【図５】同実施形態における無線端末装置の優先制御処理を示す図（その１）である。
【図６】同実施形態における無線端末装置の優先制御処理を示す図（その２）である。
【図７】同実施形態における無線端末装置の動作を示すフローチャート（その１）である。
【図８】同実施形態における無線端末装置の動作を示すフローチャート（その２）である。
【符号の説明】
【００６６】
１０  無線端末装置
１１  通信部
１２  操作部
１３  音声入力部
１４  スピーカ（ＳＰ）
１５  マイク（ＭＩＣ）
１７  記憶部
１８  制御部
１７１  エラーテーブル
１７２−１  使用履歴テーブルＡ
１７２−２  使用履歴テーブルＢ
１７３−１  優先順位テーブルＡ
１７３−２  優先順位テーブルＢ
１７４  周波数スキャンテーブル
１８０  主制御部
１８１  電界強度測定部
１８２  逆拡散部
１８３  信号強度測定部
【図１】
2010035051.tif 000003
【図２】
2010035051.tif 000004
【図３】
2010035051.tif 000005
【図４】
2010035051.tif 000006
【図５】
2010035051.tif 000007
【図６】
2010035051.tif 000008
【図７】
2010035051.tif 000009
【図８】
2010035051.tif 000010